(57)【要約】【課題】本発明は巻き線部品の巻き線への異常通電時の励磁電流を遮断する巻き線部品の励磁電流遮断装置を提供する。【解決手段】励磁電流遮断装置１は、巻き線４を有し当該巻き線４への励磁電流の通電によって動作する巻き線部品３の巻き線４への励磁電流を遮断するに際して、巻き線４への励磁電流の供給回路に電流プロテクタＦ１を設け、巻き線４への励磁電流の通電時間を監視して、当該通電時間が予め設定されている遮断待ち時間を経過すると、電流プロテクタＦ１で励磁電流を遮断している。したがって、巻き線部品３の巻き線４への異常通電による温度上昇を確実に防止することができ、安全保護を確実に行うことができる。【選択図】          図１
2004278687.tif 000002
【特許請求の範囲】
【請求項１】
巻き線を有し当該巻き線への励磁電流の通電によって動作する巻き線部品の当該巻き線への励磁電流を遮断する巻き線部品の励磁電流遮断装置であって、前記巻き線への励磁電流の供給回路に所定の電流遮断部品を設け、前記巻き線への励磁電流の通電時間を監視して、当該通電時間が予め設定されている規定通電時間を経過すると、前記電流遮断部品で当該励磁電流を遮断することを特徴とする巻き線部品の励磁電流遮断装置。
【請求項２】
前記電流遮断部品は、一定量以上の電流の通電により溶断して前記励磁電流を遮断するヒューズであることを特徴とする請求項１記載の巻き線部品の励磁電流遮断装置。
【請求項３】
前記電流遮断部品は、一定量以上の電流の通電により回路を開いて前記励磁電流を遮断するとともに、通電量が一定量以下に低下すると復帰する繰り返し使用可能通電遮断部品であることを特徴とする巻き線部品の励磁電流遮断装置。
【請求項４】
前記励磁電流遮断装置は、その構成部品が、ソフトウェアで制御される部品を含まないことを特徴とする請求項１から請求項３のいずれかに記載の巻き線部品の励磁電流遮断装置。
【発明の詳細な説明】
【０００１】
【発明の属する技術分野】
本発明は、励磁電流遮断装置に関し、詳細には、クラッチ、ソレノイド等の巻き線部品の巻き線への異常通電時の励磁電流を遮断する巻き線部品の励磁電流遮断装置に関する。
【０００２】
【従来の技術】
【特許文献１】
特開平１０−８９３８５号公報
従来からプリンタ装置、複写装置、パーソナルコンピュータ等の各種機器においては、クラッチ、ソレノイド等の巻き線部分を有した部品（以下、巻き線部品という。）が用いられている。
【０００３】
そして、従来、コイルスプールの内周角部に形成した凹部に温度ヒューズを配置して、電磁コイルの巻き数を削減するとともに、温度ヒューズの誤動作の低減と応答性の向上を図った電磁クラッチが提案されている（特許文献１参照）。
【０００４】
【発明が解決しようとする課題】
しかしながら、巻き線部品は、その巻き線部分の抵抗値が決まっているため、ハーネスの短絡やドライバー素子の故障等の異常動作時の通電状態と通常動作時の通電状態とで、電流値に差が生じないため、特許文献１のようなヒューズ等のみによる保護が困難である。
【０００５】
そこで、請求項１記載の発明は、巻き線を有し当該巻き線への励磁電流の通電によって動作する巻き線部品の当該巻き線への励磁電流を遮断するに際して、巻き線への励磁電流の供給回路に所定の電流遮断部品を設け、巻き線への励磁電流の通電時間を監視して、当該通電時間が予め設定されている規定通電時間を経過すると、電流遮断部品で当該励磁電流を遮断することにより、巻き線部品の巻き線への異常通電による温度上昇を確実に防止し、安全保護を確実に行う巻き線部品の励磁電流遮断装置を提供することを目的としている。
【０００６】
請求項２記載の発明は、電流遮断部品を、一定量以上の電流の通電により溶断して前記励磁電流を遮断するヒューズとすることにより、巻き線部品の巻き線への異常通電を安価にかつ確実に遮断して、巻き線部品の温度上昇を安価にかつより一層確実に防止し、安全保護を安価にかつより一層確実に行う巻き線部品の励磁電流遮断装置を提供することを目的としている。
【０００７】
請求項３記載の発明は、電流遮断部品を、一定量以上の電流の通電により回路を開いて励磁電流を遮断するとともに、通電量が一定量以下に低下すると復帰する繰り返し使用可能通電遮断部品とすることにより、巻き線部品の巻き線への異常通電を安価にかつ確実に遮断して、巻き線部品の温度上昇を安価にかつより一層確実に防止するとともに、異常回復後の電流遮断部品の交換等の作業を不要として、作業性を向上させ、利用性を良好なものとするとともに、安全保護を安価にかつより一層確実に行う巻き線部品の励磁電流遮断装置を提供することを目的としている。
【０００８】
請求項４記載の発明は、励磁電流遮断装置の構成部品を、ソフトウェアで制御される部品を含まないものとすることにより、ＣＰＵ（Ｃｅｎｔｒａｌ  Ｐｒｏｃｅｓｓｉｎｇ  Ｕｎｉｔ  ）の異常やそのソフトウェアで制御される部分の異常により巻き線に異常通電が発生する場合にも、確実に巻き線への励磁電流を遮断し、安全保護をより一層確実に行う巻き線部品の励磁電流遮断装置を提供することを目的としている。
【０００９】
【課題を解決するための手段】
請求項１記載の発明の巻き線部品の励磁電流遮断装置は、巻き線を有し当該巻き線への励磁電流の通電によって動作する巻き線部品の当該巻き線への励磁電流を遮断する巻き線部品の励磁電流遮断装置であって、前記巻き線への励磁電流の供給回路に所定の電流遮断部品を設け、前記巻き線への励磁電流の通電時間を監視して、当該通電時間が予め設定されている規定通電時間を経過すると、前記電流遮断部品で当該励磁電流を遮断することにより、上記目的を達成している。
【００１０】
上記構成によれば、巻き線を有し当該巻き線への励磁電流の通電によって動作する巻き線部品の当該巻き線への励磁電流を遮断するに際して、巻き線への励磁電流の供給回路に所定の電流遮断部品を設け、巻き線への励磁電流の通電時間を監視して、当該通電時間が予め設定されている規定通電時間を経過すると、電流遮断部品で当該励磁電流を遮断するので、巻き線部品の巻き線への異常通電による温度上昇を確実に防止することができ、安全保護を確実に行うことができる。
【００１１】
この場合、例えば、請求項２に記載するように、前記電流遮断部品は、一定量以上の電流の通電により溶断して前記励磁電流を遮断するヒューズであってもよい。
【００１２】
上記構成によれば、電流遮断部品を、一定量以上の電流の通電により溶断して前記励磁電流を遮断するヒューズとしているので、巻き線部品の巻き線への異常通電を安価にかつ確実に遮断して、巻き線部品の温度上昇を安価にかつより一層確実に防止することができ、安全保護を安価にかつより一層確実に行うことができる。
【００１３】
また、例えば、請求項３に記載するように、前記電流遮断部品は、一定量以上の電流の通電により回路を開いて前記励磁電流を遮断するとともに、通電量が一定量以下に低下すると復帰する繰り返し使用可能通電遮断部品であってもよい。
【００１４】
上記構成によれば、電流遮断部品を、一定量以上の電流の通電により回路を開いて励磁電流を遮断するとともに、通電量が一定量以下に低下すると復帰する繰り返し使用可能通電遮断部品としているので、巻き線部品の巻き線への異常通電を安価にかつ確実に遮断して、巻き線部品の温度上昇を安価にかつより一層確実に防止することができるとともに、異常回復後の電流遮断部品の交換等の作業を不要として、作業性を向上させることができ、利用性を向上させることができるとともに、安全保護を安価にかつより一層確実に行うことができる。
【００１５】
さらに、例えば、請求項４に記載するように、前記励磁電流遮断装置は、その構成部品が、ソフトウェアで制御される部品を含まないものであってもよい。
【００１６】
上記構成によれば、励磁電流遮断装置の構成部品を、ソフトウェアで制御される部品を含まないものとしているので、ＣＰＵ（Ｃｅｎｔｒａｌ  Ｐｒｏｃｅｓｓｉｎｇ  Ｕｎｉｔ  ）の異常やそのソフトウェアで制御される部分の異常により巻き線に異常通電が発生する場合にも、確実に巻き線への励磁電流を遮断することができ、安全保護をより一層確実に行うことができる。
【００１７】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１８】
図１は、本発明の巻き線部品の励磁電流遮断装置の第１の実施の形態を適用した巻き線部品の励磁電流遮断装置１の回路構成図である。
【００１９】
図１において、励磁電流遮断装置１は、基板２上に、巻き線部品３の巻き線４への供給回路であるトランジスタＴｒ１とダイオードＤ１とともに形成されており、電流プロテクタＦ１、トランジスタＴｒ２、Ｔｒ３、抵抗Ｒ１〜Ｒ５、ダイオードＤ２、コンデンサＣ１及びツェナーダイオードＺＤ１、ＺＤ２等を備えている。
【００２０】
巻き線部品３の巻き線４への通電は、トランジスタＴｒ１とダイオードＤ１からなる供給回路で行われ、トランジスタＴｒ１には、制御部５から巻き線部品３のオン／オフを指示する巻き線部品オン／オフ信号Ｓｗがそのベースに入力される。
【００２１】
トランジスタＴｒ１のコレクタにダイオードＤ１が接続されており、ダイオードＤ１は、励磁電流遮断装置１の電流プロテクタ（電流遮断部品）Ｆ１を介して所定電圧Ｖ１に接続され、また、ダイオードＤ１の両端に巻き線４が接続されている。すなわち、電流プロテクタＦ１は、巻き線４への励磁電流の供給回路に設けられ、巻き線４への通電の遮断を行う。
【００２２】
電流プロテクタＦ１は、ヒューズまたは繰り返し使用可能なヒューズであるポリスイッチ（繰り返し使用可能通電遮断部品）が用いられており、所定電流以上の電流が流れると、プロテクト動作（溶断等）を行う。この電流プロテクタＦ１として、ポリスイッチを用いているときには、電流が所定電流以下になると、復帰する。ポリスイッチは、ポリマ系のＰＴＣ（Ｐｏｓｉｔｉｖｅ  Ｔｅｍｐｅｒａｔｕｒｅ  Ｃｏｅｆｆｉｃｉｅｎｔ）サーミスタである。
【００２３】
ダイオードＤ１と電流プロテクタＦ１との間に、抵抗Ｒ４を介してトランジスタＴｒ３のコレクタ側が接続され、トランジスタＴｒ３のエミッタ側は、接地されている。トランジスタＴｒ３のベースは、ツェナーダイオードＺＤ２、並列接続されてトランジスタＴｒ３のエミッタ側に接続されているコンデンサＣ１と抵抗Ｒ５及び抵抗Ｒ３を介してトランジスタＴｒ２のコレクタに接続されている。
【００２４】
トランジスタＴｒ２のコレクタには、抵抗Ｒ２を介して所定電圧Ｖ２が印可されており、トランジスタＴｒ２のエミッタは、接地されている。トランジスタＴｒ２のベースには、ツェナーダイオードＺＤ１が接続されており、また、トランジスタＴｒ２のベースには、抵抗Ｒ１を介して所定電圧Ｖ３が印可されているとともに、ダイオードＤ１を介して上記トランジスタＴｒ１とダイオードＤ１との間に接続されている。トランジスタＴｒ２のベースからは、ツェナーダイオードＺＤ１を介して、外部、例えば、制御部５等に励磁電流遮断装置１の動作状態を示す動作識別信号が出力される。
【００２５】
そして、励磁電流遮断装置１は、抵抗Ｒ２、Ｒ３とコンデンサＣ１の時定数及びツェナーダイオードＺＤ２で設定されている遮断待ち時間（規定通電時間）を超えて巻き線部品３の巻き線４に励磁電流が流れ続けると、巻き線４への励磁電流を遮断して、保護する。したがって、この抵抗Ｒ２、Ｒ３とコンデンサＣ１及びツェナーダイオードＺＤ２を適宜変更することで、遮断待ち時間を適宜変更することができる。
【００２６】
次に、本実施の形態の作用を説明する。本実施の形態の励磁電流遮断装置１は、正常動作時には、以下のように動作する。
【００２７】
すなわち、制御部５からオンの巻き線部品オン／オフ信号Ｓｗが供給回路のトランジスタＴｒ１のベースに入力されると、トランジスタＴｒ１がオンし、電流プロテクタＦ１を通して巻き線部品３の巻き線４に励磁電流が流れる。
【００２８】
このとき、励磁電流遮断装置１では、トランジスタＴｒ１がオンすることで、トランジスタＴｒ２がオフして、抵抗Ｒ２及び抵抗Ｒ３を経由してコンデンサＣ１が充電される。
【００２９】
その後、制御部５からオフの巻き線部品オン／オフ信号ＳｗがトランジスタＴｒ１のベースに入力されると、トランジスタＴｒ１がオフし、巻き線部品３の巻き線４への励磁電流が遮断されると同時に、励磁電流遮断装置１では、トランジスタＴｒ２がオンして、充電されていたコンデンサＣ１から抵抗Ｒ３及びトランジスタＴｒ２を通してオンしているトランジスタＴｒ２のエミッタからグラウンドに急激に放電される。
【００３０】
ところが、例えば、図１のＡ点で巻き線４への配線が、グラウンド短絡したり、トランジスタＴｒ１に短絡故障が発生したり、あるいは、制御部５の異常等が発生していて、制御部５からオンの巻き線部品オン／オフ信号Ｓｗが入力され続け、巻き線４への励磁電流が遮断待ち時間以上通電されると、励磁電流遮断装置１は、巻き線４への励磁電流を遮断する。
【００３１】
すなわち、いま、図１のＡ点で巻き線４への配線がグラウンド短絡されているものとすると、励磁電流遮断装置１では、抵抗Ｒ１及びダイオードＤ１を経由して故障個所であるＡ点からグラウンドへと電流が流れ、トランジスタＴｒ２は、オンからオフに切り換わる。
【００３２】
このため、コンデンサＣ１には、抵抗Ｒ２及び抵抗Ｒ３を通して充電され続け、このコンデンサＣ１への充電が遮断待ち時間の間継続されると、コンデンサＣ１の電圧がツェナーダイオードＺＤ２の規定電圧以上となり、トランジスタＴｒ３がオンする。
【００３３】
トランジスタＴｒ３がオンすると、電流プロテクタＦ１から抵抗Ｒ４を通して電流が流れ、電流プロテクタＦ１に流れる電流が増大して、電流プロテクタＦ１が溶断される。電流プロテクタＦ１が溶断されると、巻き線部品３の巻き線４に流れる励磁電流が遮断される。
【００３４】
このように、本実施の形態の励磁電流遮断装置１は、巻き線４を有し当該巻き線４への励磁電流の通電によって動作する巻き線部品３の巻き線４への励磁電流を遮断するに際して、巻き線４への励磁電流の供給回路に電流プロテクタＦ１を設け、巻き線４への励磁電流の通電時間を監視して、当該通電時間が予め設定されている規定通電時間である遮断待ち時間を経過すると、電流プロテクタＦ１で励磁電流を遮断している。
【００３５】
したがって、巻き線部品３の巻き線４への異常通電による温度上昇を確実に防止することができ、安全保護を確実に行うことができる。
【００３６】
また、本実施の形態の励磁電流遮断装置１は、電流プロテクタＦ１を、一定量以上の電流の通電により溶断して励磁電流を遮断するヒューズとしている。
【００３７】
したがって、巻き線部品３の巻き線４への異常通電を安価にかつ確実に遮断して、巻き線部品３の温度上昇を安価にかつより一層確実に防止することができ、安全保護を安価にかつより一層確実に行うことができる。
【００３８】
さらに、本実施の形態の励磁電流遮断装置１は、電流プロテクタＦ１を、一定量以上の電流の通電により回路を開いて励磁電流を遮断するとともに、通電量が一定量以下に低下すると復帰する繰り返し使用可能なポリスイッチとしている。
【００３９】
したがって、巻き線部品３の巻き線４への異常通電を安価にかつ確実に遮断して、巻き線部品３の温度上昇を安価にかつより一層確実に防止することができるとともに、異常回復後のポリスイッチの交換等の作業を不要として、作業性を向上させることができ、利用性を向上させることができるとともに、安全保護を安価にかつより一層確実に行うことができる。
【００４０】
また、本実施の形態の励磁電流遮断装置１は、その構成部品を、ソフトウェアで制御される部品を含まないものとしている。
【００４１】
したがって、ＣＰＵ（Ｃｅｎｔｒａｌ  Ｐｒｏｃｅｓｓｉｎｇ  Ｕｎｉｔ  ）の異常やそのソフトウェアで制御される部分の異常により巻き線４に異常通電が発生する場合にも、確実に巻き線への励磁電流を遮断することができ、安全保護をより一層確実に行うことができる。
【００４２】
図２は、本発明の巻き線部品の励磁電流遮断装置の第２の実施の形態を適用した巻き線部品の励磁電流遮断装置１０の回路構成図である。
【００４３】
なお、本実施の形態は、上記第１の実施の形態の励磁電流遮断装置１と同様の励磁電流遮断装置に適用したものであり、本実施の形態の説明においては、上記第１の実施の形態の構成と同様の構成部分には、同一の符号を付して、その詳細な説明を省略する。
【００４４】
図２において、励磁電流遮断装置１０は、基板２上に、上記第１の実施の形態の励磁電流遮断装置１と同様に、巻き線部品３の巻き線４への供給回路であるトランジスタＴｒ１とダイオードＤ１とともに形成されており、第１の実施の形態の励磁電流遮断装置１と同様の電流プロテクタＦ１、トランジスタＴｒ２、Ｔｒ３、抵抗Ｒ１〜Ｒ４、ダイオードＤ２及びツェナーダイオードＺＤ１等を備えているとともに、抵抗Ｒ１１〜Ｒ１３、トランジスタＴｒ１１、Ｔｒ１２、ダイオードＤ１１、発信回路１１及びカウンタ１２を備えている。
【００４５】
励磁電流遮断装置１０は、トランジスタＴｒ１１のベースとトランジスタＴｒ１２のコレクタが抵抗Ｒ１１を介して接続され、トランジスタＴｒ１１のコレクタとトランジスタＴｒ１２のベースが抵抗Ｒ１２を介して接続されているとともに、トランジスタＴｒ１１のコレクタに抵抗Ｒ１３を介してトランジスタＴｒ３のベースが接続されている。
【００４６】
そして、トランジスタＴｒ１１のエミッタには、所定電圧Ｖ４が印可され、トランジスタＴｒ１１のベースは、抵抗Ｒ３及びダイオードＤを介してカウンタ１２に接続されていて、カウンタ１２が遮断待ち時間をカウントしたときに、カウンタ１２から励磁電流を遮断させる保護動作スタート信号が出力される。
【００４７】
カウンタ１２には、トランジスタＴｒ２のコレクタが接続されており、トランジスタＴｒ２がオフのときにカウンタ１２のカウント動作をスタートさせるカウントスタート信号が入力され、トランジスタＴｒ２がオンすると、このカウントスタート信号の入力が停止されて、カウンタ１２はリセットされる。
【００４８】
カウンタ１２には、クロックを出力する発振回路１１が接続されており、カウンタ１２は、発振回路１１から入力されるクロックに基づいて、カウントスタート信号が入力されると、予め設定されている遮断待ち時間のカウントを開始し、遮断待ち時間のカウントを終了する前に、カウントスタート信号の入力が停止されると、リセットする。カウンタ１２は、遮断待ち時間のカウントを開始して、遮断待ち時間をカウントすると、保護動作スタート信号をダイオードＤ１１に出力して、トランジスタＴｒ１１、Ｔｒ１２を介してトランジスタＴｒ３をオンし、電流プロテクタＦ１を溶断させて、巻き線部品３の巻き線４への励磁電流を遮断する。
【００４９】
そして、カウンタ１２は、遮断待ち時間を任意の時間に外部から適宜設定できるようになっていてもよい。
【００５０】
本実施の形態の場合、制御部５からオンの巻き線部品オン／オフ信号Ｓｗが供給回路のトランジスタＴｒ１のベースに入力されると、トランジスタＴｒ１がオンし、電流プロテクタＦ１を通して巻き線部品３の巻き線４に励磁電流が流れる。
【００５１】
このとき、励磁電流遮断装置１０では、トランジスタＴｒ１がオンすることで、トランジスタＴｒ２がオフして、カウンタ１２にカウントスタート信号が入力され、カウンタ１２が遮断待ち時間のカウントを開始する。
【００５２】
その後、制御部５からオフの巻き線部品オン／オフ信号ＳｗがトランジスタＴｒ１のベースに入力されると、トランジスタＴｒ１がオフし、巻き線部品３の巻き線４への励磁電流が遮断されると同時に、励磁電流遮断装置１０では、トランジスタＴｒ２がオンして、カウンタ１２へのカウントスタート信号の入力が停止され、カウンタ１２はカウントをリセットする。
【００５３】
ところが、例えば、図２のＡ点で巻き線４への配線が、グラウンド短絡したり、トランジスタＴｒ１に短絡故障が発生したり、あるいは、制御部５の異常等が発生していて、制御部５からオンの巻き線部品オン／オフ信号Ｓｗが入力され続け、巻き線４への励磁電流が遮断待ち時間以上通電されると、励磁電流遮断装置１０は、巻き線４への励磁電流を遮断する。
【００５４】
すなわち、いま、図２のＡ点で巻き線４への配線がグラウンド短絡されているものとすると、励磁電流遮断装置１０では、抵抗Ｒ１及びダイオードＤ１を経由して故障個所であるＡ点からグラウンドへと電流が流れ、トランジスタＴｒ２は、オンからオフに切り換わる。
【００５５】
このため、カウンタ１２にカウントスタート信号が入力され続け、カウンタ１２は、遮断待ち時間のカウントを継続して、遮断待ち時間をカウントすると、保護動作スタート信号をダイオードＤ１１側に出力する。
【００５６】
保護動作スタート信号がダイオードＤ１１側に出力されると、トランジスタＴｒ１１、Ｔｒ１２を介してトランジスタＴｒ３がオンして、電流プロテクタＦ１から抵抗Ｒ４を通して電流が流れ、電流プロテクタＦ１に流れる電流が増大して、電流プロテクタＦ１が溶断される。電流プロテクタＦ１が溶断されると、巻き線部品３の巻き線４に流れる励磁電流が遮断される。
【００５７】
このように、本実施の形態の励磁電流遮断装置１０では、カウンタ１２で、遮断待ち時間を任意の時間に外部から適宜設定して、励磁電流遮断装置１０を適用する巻き線部品３に応じた遮断待ち時間を設定することができ、汎用性を向上させることができる。
【００５８】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００５９】
【発明の効果】
請求項１記載の発明の励磁電流遮断装置によれば、巻き線を有し当該巻き線への励磁電流の通電によって動作する巻き線部品の当該巻き線への励磁電流を遮断するに際して、巻き線への励磁電流の供給回路に所定の電流遮断部品を設け、巻き線への励磁電流の通電時間を監視して、当該通電時間が予め設定されている規定通電時間を経過すると、電流遮断部品で当該励磁電流を遮断するので、巻き線部品の巻き線への異常通電による温度上昇を確実に防止することができ、安全保護を確実に行うことができる。
【００６０】
請求項２記載の発明の励磁電流遮断装置によれば、電流遮断部品を、一定量以上の電流の通電により溶断して前記励磁電流を遮断するヒューズとしているので、巻き線部品の巻き線への異常通電を安価にかつ確実に遮断して、巻き線部品の温度上昇を安価にかつより一層確実に防止することができ、安全保護を安価にかつより一層確実に行うことができる。
【００６１】
請求項３記載の発明の励磁電流遮断装置によれば、電流遮断部品を、一定量以上の電流の通電により回路を開いて励磁電流を遮断するとともに、通電量が一定量以下に低下すると復帰する繰り返し使用可能通電遮断部品としているので、巻き線部品の巻き線への異常通電を安価にかつ確実に遮断して、巻き線部品の温度上昇を安価にかつより一層確実に防止することができるとともに、異常回復後の電流遮断部品の交換等の作業を不要として、作業性を向上させることができ、利用性を向上させることができるとともに、安全保護を安価にかつより一層確実に行うことができる。
【００６２】
請求項４記載の発明の励磁電流遮断装置によれば、励磁電流遮断装置の構成部品を、ソフトウェアで制御される部品を含まないものとしているので、ＣＰＵ（Ｃｅｎｔｒａｌ  Ｐｒｏｃｅｓｓｉｎｇ  Ｕｎｉｔ  ）の異常やそのソフトウェアで制御される部分の異常により巻き線に異常通電が発生する場合にも、確実に巻き線への励磁電流を遮断することができ、安全保護をより一層確実に行うことができる。
【図面の簡単な説明】
【図１】本発明の巻き線部品の励磁電流遮断装置の第１の実施の形態を適用した巻き線部品の励磁電流遮断装置の回路構成図。
【図２】本発明の巻き線部品の励磁電流遮断装置の第２の実施の形態を適用した巻き線部品の励磁電流遮断装置の回路構成図。
【符号の説明】
１  励磁電流遮断装置
２  基板
３  巻き線部品
４  巻き線
５  制御部
Ｔｒ１、Ｔｒ２、Ｔｒ３  トランジスタ
Ｄ１、Ｄ２  ダイオード
Ｆ１  電流プロテクタ
Ｒ１〜Ｒ５  抵抗
Ｃ１  コンデンサ
ＺＤ１、ＺＤ２  ツェナーダイオード
１０  励磁電流遮断装置
Ｒ１１〜Ｒ１３  抵抗
Ｔｒ１１、Ｔｒ１２  トランジスタ
Ｄ１１  ダイオード
１１  発信回路
１２  カウンタ
【図１】
2004278687.tif 000003
【図２】
2004278687.tif 000004